(57)【特許請求の範囲】
【請求項１】
胃内に挿入して用いられる内視鏡用バルーン装置であって、二つの膨縮自在なバルーンが、内視鏡の処置具挿通チャンネル内に通される一本の可撓性チューブの先端部分に前後に並んで配置され、上記可撓性チューブは外部に開口することなく上記二つのバルーン内に連通していて、上記可撓性チューブを通じて上記両バルーン内に流体を送り込むことにより、上記両バルーンが同時に膨らんで、上記両バルーンのうち胃内に位置するバルーンが、上記胃外に位置するバルーンより大きく膨らむようにしたことを特徴とする内視鏡用バルーン装置。
【請求項２】
上記可撓性チューブの先端部分に配置された二つのバルーンのうち、先側に配置されたバルーンが後側に配置されたバルーンより大きく膨らむ請求項１記載の内視鏡用バルーン装置。
【請求項３】
上記可撓性チューブの先端部分に配置された二つのバルーンのうち、後側に配置されたバルーンが先側に配置されたバルーンより大きく膨らむ請求項１記載の内視鏡用バルーン装置。
【発明の詳細な説明】
【０００１】
【発明の属する技術分野】
この発明は、内視鏡で胃内を観察する際に胃が膨らんだ状態を保つように胃の出入口に栓をするための内視鏡用バルーン装置に関する。
【０００２】
【従来の技術】
内視鏡により胃内を観察する際には、胃の粘膜面と観察窓との間の距離を確保するために、内視鏡の先端から送気をして胃を膨らませた状態にするようになっている。
【０００３】
【発明が解決しようとする課題】
胃の入口である噴門と出口である幽門は各々蠕動運動をしているが、胃の内圧が高まると蠕動運動に合わせて噴門や幽門が開き、胃内の空気が漏れ出して胃が萎んでしまう。
【０００４】
そのため、術者は頻繁に胃内に送気操作を行わなければならず、操作が煩雑であるばかりでなく、過剰送気によって患者に無用の苦痛を与える原因にもなっている。
【０００５】
そこで本発明は、内視鏡で胃内を観察する際に胃が膨らんだ状態を保つように胃の出入口に効果的に栓をすることができる内視鏡用バルーン装置を提供することを目的とする。
【０００６】
【課題を解決するための手段】
上記の目的を達成するため、本発明の内視鏡用バルーン装置は、胃内に挿入して用いられる内視鏡用バルーン装置であって、二つの膨縮自在なバルーンが可撓性チューブの先端部分に前後に並んで配置され、可撓性チューブを通じて両バルーン内に流体を送り込むことにより、両バルーンのうち胃外に位置するバルーンが膨らむと共に、胃内に位置するバルーンが、胃外に位置するバルーンより大きく膨らむようにしたものである。
【０００７】
なお、噴門に栓をするためには、可撓性チューブの先端部分に配置された二つのバルーンのうち、先側に配置されたバルーンが後側に配置されたバルーンより大きく膨らむようにすればよく、その場合は、両バルーンを前後に貫通する内視鏡通過路を形成するとよい。
【０００８】
また、幽門に栓をするためには、可撓性チューブの先端部分に配置された二つのバルーンのうち、後側に配置されたバルーンが先側に配置されたバルーンより大きく膨らむようにすればよい。
【０００９】
【発明の実施の形態】
図面を参照して本発明の実施例を説明する。
図１は、本発明の第１の実施例の内視鏡用バルーン装置の先端部分を示しており、直径が２〜３ｍｍ程度で膨縮性のない細長い可撓性チューブ１の先端部分に、先側バルーン２と後側バルーン３の二つの膨縮自在なバルーンが前後に並んで配置されている。
【００１０】
この内視鏡用バルーン装置は胃の出口である幽門の栓をするためのものなので、可撓性チューブ１の長さは、食道から胃を通過して胃の出口である幽門に達することができるように１．５ｍ程度に設定されている。
【００１１】
先側バルーン２と後側バルーン３との間には例えば数ｍｍ〜１ｃｍ程度の隙間があり、その部分は、例えば可撓性チューブ１と同じ材質により膨縮性の小さなつながり部１ａになっている。
【００１２】
可撓性チューブ１の基端には、図示されていない注入口金が取り付けられていて、そこから水等を注入することにより、その水が可撓性チューブ１を通って先側バルーン２内と後側バルーン３内に送り込まれ、先側バルーン２と後側バルーン３が各々二点鎖線で示される萎んだ状態から実線で示される膨らんだ状態になる。
【００１３】
先側バルーン２と後側バルーン３は、各々中心軸位置（即ち、可撓性チューブ１の延長線）の周りに歪みなく均一に膨らむように形成されており、後側バルーン３の方が先側バルーン２より大きく（例えば径で２〜３倍程度）膨らむように形成されている。
【００１４】
このように構成された内視鏡用バルーン装置は、図２に示されるように、内視鏡１０の処置具挿通チャンネルに通して使用され、先側バルーン２と後側バルーン３の間に胃１００の幽門１０１を位置させた状態で、注入口金４に接続した注射筒５等から水等を注入して両バルーン２，３を膨らませる。２００は食道である。
【００１５】
すると、胃内にある後側バルーン３の方が幽門１０１の外側に出ている先側バルーン２より大きく膨らむので、両バルーン２，３が幽門１０１の前後の空間にピッタリと嵌まり込んだ状態になる。
【００１６】
そのようにして、幽門１０１が両バルーン２，３によって栓をされて胃内から空気が抜け出さない状態になるので、バルーン装置をそのままの状態にして内視鏡１０を体内から抜き出し、バルーン装置とは別に内視鏡１０だけを再挿入することにより胃１００内各部の観察を行うことができる。
【００１７】
なお、可撓性チューブ１と後側バルーン３との間を分離自在に構成して、後側バルーン３側に逆止弁等を設ければ、幽門１０１に栓をした状態の両バルーン２，３から可撓性チューブ１を取り外して、内視鏡１０による胃１００内観察をより容易に行うことができる。
【００１８】
また、図３に示される第２の実施例のように、可撓性チューブ１を、先側バルーン２に接続された第１チューブ１′と後側バルーン３に接続された第２チューブ１″の二重管構造に構成してもよい。
【００１９】
図４は、本発明の第３の実施例の内視鏡用バルーン装置の先端部分を示しており、この実施例の内視鏡用バルーン装置は胃の入口である噴門に栓をするためのものである。
【００２０】
そこで、二つのバルーン２，３のうち先側バルーン２の方が後側バルーン３より大きく（例えば径で２〜３倍程度）膨らむように形成されており、内視鏡の挿入部を通過させるための内視鏡通過路６が、上記両バルーン２，３を前後に貫通して形成されている。
【００２１】
図５は、そのような内視鏡用バルーン装置が使用されて、両バルーン２，３を膨らませた後の状態を示しており、可撓性チューブ１の図示は省略されている。
ただし、前述のように両バルーン２，３に対して可撓性チューブ１を取り外せるように構成してもよい。
【００２２】
この実施例の場合には、胃内にある先側バルーン２の方が噴門１０２を間に挟んで食道２００側にある後側バルーン３より大きく膨らむので、両バルーン２，３が噴門１０２の前後の空間にピッタリと嵌まり込んだ状態になる。
【００２３】
そのようにして、噴門１０２が両バルーン２，３によって栓をされて胃内から空気が抜け出さない状態になり、内視鏡１０は内視鏡通過路６内を経由して胃１００内に挿脱することができる。
【００２４】
なお、このように噴門１０２に栓をするためのバルーン装置の場合も、図６に示されるように、可撓性チューブ１を、先側バルーン２に接続された第１チューブ１′と後側バルーン３に接続された第２チューブ１″とに分離した構成にしても差し支えない。
【００２５】
【発明の効果】
本発明によれば、可撓性チューブの先端部分に前後に並んで配置された二つの膨縮自在なバルーンのうち胃内に位置するバルーンが胃外に位置するバルーンより大きく膨らむようにしたことにより、両バルーンが胃の入口又は出口を挟んでその前後の空間にピッタリと嵌まり込んでその部分に栓をした状態になるので、胃内を観察する際に胃が膨らんだ状態を保って、胃内からの空気漏れのない安定した状態で内視鏡による胃内観察を行うことができる。
【図面の簡単な説明】
【図１】本発明の第１の実施例の内視鏡用バルーン装置の先端部分の側面断面図である。
【図２】本発明の第１の実施例の内視鏡用バルーン装置の使用状態の略示図である。
【図３】本発明の第２の実施例の内視鏡用バルーン装置の先端部分の側面断面図である。
【図４】本発明の第３の実施例の内視鏡用バルーン装置の先端部分の側面断面図である。
【図５】本発明の第３の実施例の内視鏡用バルーン装置の使用状態の略示図である。
【図６】本発明の第４の実施例の内視鏡用バルーン装置の先端部分の側面断面図である。
【符号の説明】
１  可撓性チューブ
２  先側バルーン
３  後側バルーン
１０  内視鏡
１００  胃
１０１  幽門
１０２  噴門
【図１】
0004780543.tif 000002
【図２】
0004780543.tif 000003
【図３】
0004780543.tif 000004
【図４】
0004780543.tif 000005
【図５】
0004780543.tif 000006
【図６】
0004780543.tif 000007